(57)【要約】【課題】ユーザが視聴または再生している番組と関連のある情報を抽出し、ユーザに提示する電子機器及び映像表示方法を提供する。【解決手段】実施形態の映像表示方法は、映像再生手段が表示する映像から、手順に対応する第一の情報と第一の情報が特定する手順において要求のある材料に対応する第二の情報とをサーバが保持する第三の情報と関連付けて抽出し、表示中の映像に、第一及び第二の情報を所定の順に表示する。【選択図】図１
2014207610.tif 000002
【特許請求の範囲】
【請求項１】
映像再生手段が表示する映像から、手順に対応する第一の情報と第一の情報が特定する手順において要求のある材料に対応する第二の情報とをサーバが保持する第三の情報と関連付けて抽出し、
表示中の映像に、第一及び第二の情報を所定の順に表示する映像表示方法。
【請求項２】
第一の情報は、料理の作成手順を含み、第二の情報は、用いる材料及びその分量を含む請求項１の映像表示方法。
【請求項３】
販売店情報、価格情報及び購入履歴に基づいて、第二の情報が特定する材料を購入可能とする第四の情報をさらに表示する請求項１または２の映像表示方法。
【請求項４】
映像再生手段が表示する映像が映像表示手段の保持する映像とは異なる映像であるときは、第三の情報と映像表示手段が保持する映像から、第一及び第二の情報を推定する請求項１または２の映像表示方法。
【請求項５】
映像表示手段に、番組に対応する再生信号を出力する映像再生手段と、
前記映像再生手段が前記再生信号を出力する前記番組の内容に関連し、手順に対応する第一の情報と前記第一の情報が特定する手順において要求のある材料に対応する第二の情報とをサーバが保持する第三の情報と関連付けて抽出する抽出手段と、
前記抽出手段が抽出する抽出結果に基づいて、前記再生信号に、前記第一及び第二の情報の少なくとも一方に対応する付加再生信号を、所定の順で出力する映像処理手段と、
を具備する電子機器。
【請求項６】
前記第一の情報は、料理の作成手順を含み、前記第二の情報は、用いる材料及びその分量を含む請求項５の電子機器。
【請求項７】
前記映像処理手段は、販売店情報、価格情報及び購入履歴に基づいて、前記第二の情報が特定する前記材料を購入可能とする第四の情報に対応する第二の付加再生信号を出力する請求項５または６の電子機器。
【請求項８】
前記番組が前記映像再生手段の保持する番組の映像であるときは、前記第三の情報と前記映像再生手段が保持する番組から、前記第一及び第二の情報を推定する請求項５または６の電子機器。
【請求項９】
前記映像再生手段は、任意数の番組について、名称、前記第一の情報及び前記第二の情報を関連付けたデータベースを含む請求項５の電子機器。
【発明の詳細な説明】
【技術分野】
【０００１】
この発明は、電子機器及び映像表示方法に関する。
【背景技術】
【０００２】
放送事業者や配信事業者が供給する番組を受信して記録し、ユーザの要求に応じて再生する電子機器、例えばテレビジョン受信装置あるいはモニタ（ディスプレイ）装置と接続するレコーダ装置（以下クライアント端末またはユーザと称する）は、インターネット等のネットワークを通じて、さまざまな情報の取得が可能である。
【０００３】
また、クライアント端末（ユーザ）は、多くの番組の記録（録画）が可能である。さらに、ユーザ（クライアント端末）は、ネットワークを通じて、さまざまなデータベースを利用可能である。例えば、録画してある録画済み番組の番組名（番組タイトル）や放送局（チャンネル名）及び放送日時から、その番組の登場人物や主要な内容（例えば料理番組である場合に「紹介された料理」の名称）、等、をネットワーク上のデータベース（外部サービス／サーバ）から取得できる。
【先行技術文献】
【特許文献】
【０００４】
【特許文献１】特開２００３−５８６９９号公報
【発明の概要】
【発明が解決しようとする課題】
【０００５】
ネットワーク上のデータベースにおいては、個々の番組の内容について一般的な放送波から取得可能なＥＰＧ（電子番組表）が提供する情報に比較して多くの情報を含む場合がある。
【０００６】
反面、ユーザが録画している番組との間の関連付けについては、ユーザに、キーワードの入力を求める、等の何らかの（ユーザ）負担を必要とする場合が少なくない。
【０００７】
この発明の目的は、ユーザが視聴または再生している番組と関連のある情報を抽出し、ユーザに提示する電子機器及び映像表示方法を提供することである。
【課題を解決するための手段】
【０００８】
実施形態の実施形態の映像表示方法は、映像再生手段が表示する映像から、手順に対応する第一の情報と第一の情報が特定する手順において要求のある材料に対応する第二の情報とをサーバが保持する第三の情報と関連付けて抽出し、表示中の映像に、第一及び第二の情報を所定の順に表示する。
【図面の簡単な説明】
【０００９】
【図１】実施形態に係るシステム構成の概要の一例を示す。
【図２】実施形態に係るシステム構成の概要の一例を示す。
【図３】実施形態に係る電子機器［関連番組データベース］の一例を示す。
【図４Ａ】実施形態に係るシステムにおいてデータ供給元が提供する情報の一例を示す。
【図４Ｂ】実施形態に係るシステムにおいてデータ供給元が提供する情報の一例を示す。
【図４Ｃ】実施形態に係るシステムにおいてデータ供給元が提供する情報の一例を示す。
【図４Ｄ】実施形態に係るシステムにおいてデータ供給元が提供する情報の一例を示す。
【図５Ａ】実施形態に係る情報［メニュー画面表示］の表示の一例を示す。
【図５Ｂ】実施形態に係る情報［レシピ表示（表示確認）］の表示の一例を示す。
【図５Ｃ】実施形態に係る情報［レシピ表示（分量）］の表示の一例を示す。
【図５Ｄ】実施形態に係る情報［レシピ表示（１ページめ）］の表示の一例を示す。
【図５Ｅ】実施形態に係る情報［レシピ無し（類似表示）］の表示の一例を示す。
【図５Ｆ】実施形態に係る情報［レシピ無し（外部検索）］の表示の一例を示す。
【図５Ｇ】実施形態に係る情報［参考情報画面表示］の表示の一例を示す。
【図５Ｈ】実施形態に係る情報［選択画面表示（参考情報）］の表示の一例を示す。
【図６Ａ】実施形態に係る情報［在庫確認画面］の表示の一例を示す。
【図６Ｂ】実施形態に係る情報［購入画面］の表示の一例を示す。
【図７】実施形態に係る情報［レシピリスト］の一例を示す。
【発明を実施するための形態】
【００１０】
以下、図面を参照して、本発明の実施の一形態について説明する。
【００１１】
図１は、ユーザ（クライアント端末）である電子機器１０１、電子機器１０１とデータコントローラ１１１を経由して接続するネットワーク、例えばインターネット網１１、インターネット網１１上に位置する少なくとも１つサーバまたはサーバ群（外部サービス機構）１，・・・，Ｎ（Ｎは正の整数）との間の接続の概念を示す。なお、外部サービス機構（サーバ／サーバ群）１，・・・，Ｎは、例えばクラウドサービス（１００１）と称する場合がある。
【００１２】
電子機器１０１は、例えば番組の受信と再生とが可能なデジタルテレビジョン放送受信装置（以下テレビ装置と称する）である。なお、図１は、テレビ装置１０１に、レコーダ装置２０１が接続する例を示す。
【００１３】
レコーダ装置２０１は、（録画機能のある）テレビ装置１０１である場合には、テレビ装置１０１及びレコーダ装置２０１が保持する録画済番組リストを作成可能で、録画機能がないテレビ装置１０１が接続する場合には、レコーダ装置２０１が保持する録画済番組リストを作成可能なデータベースとして機能するホームサーバ機能を有する。なお、図１が示すシステムは、レコーダ装置２０１もしくはテレビ装置１０１と接続可能で、データコントローラ（制御装置）１１１あるいはレコーダ装置２０１によるデータベースの読み出しが可能な在庫管理サーバ３０１を含む。
【００１４】
電子機器１０１は、例えばユーザインタフェース、無線または有線の通信機能（例えばブルートゥース（登録商標）等の近距離無線通信及びネットワーク（インターネット）を通じた外部との通信）、放送を受信する機能、受信した放送すなわち番組を処理する処理機能、番組を出力する番組出力機能もしくは記憶（録画）機能等を備える装置であれば、どのような装置であってもよい。装置の一例としては、放送を受信する機能を有するＰＣ（パーソナルコンピュータ）、放送受信装置を有する映像記録装置（レコーダ装置）と接続する映像表示装置（モニタ装置）、あるいは放送受信機能を有する携帯可能端末装置等への適用が可能である。なお、放送は、空間を伝播する電波として放送事業者（放送局）が提供するもの、あるいはケーブルやＩＰ（インターネット・プロトコル）網等のネットワークにより配信事業者が配信するもの等、を含む。また、放送は、映像と音声および／または音楽等を含み、一定の時間（放送時間）を単位とする番組を、連続して、あるいは一定期間（時間）提供する。なお、番組は、コンテンツもしくはストリームと呼称する場合もある。また、映像は、動画と静止画、あるいはテキスト（コード化された符号列で示される文字や記号等で表される情報）ならびにその任意の組み合わせを含む。
【００１５】
外部サービス機構１，・・・，Ｎは、例えば履歴サーバ（嗜好情報データベース）１、ＥＰＧサーバ（データベース）２、カレンダ／チャンネルデータサーバ（データベース）３、関連番組データベース（サーバ）４、及びデータ供給元サーバ（メタデータサーバ）５，・・・，等を含む。なお、履歴サーバ１及び関連番組データベース４あるいはＥＰＧサーバ２は、例えばテレビ装置１０１の製造元（メーカー）、もしくはその委託先の企業が運営するものもあるが、テレビ装置１０１の製造元と独立した企業が用意し、運営するものもある。一方で、データ供給元サーバ５は、例えばメタデータ作成機構（メタデータ作成会社）が用意し、運営する場合が一般的である。
【００１６】
履歴サーバ１は、ユーザの嗜好、例えばユーザが視聴あるいは録画した番組を再生した情報、すなわち履歴（ログデータ）等を保持する。また、履歴サーバ１は、テレビ装置１０１がアクセスしたサイトのアクセス履歴、アクセスしたサイトにおいて購入した物品／コンサート等のチケットの購入／宿泊手配、等の決済に関する情報、等を取得する。なお、テレビ装置１０１と履歴サーバ１との間のデータの受け渡しすなわちテレビ装置１０１から履歴サーバ１への情報の供給（送信）及びテレビ装置１０１による履歴サーバ１からの情報の取得（受信）は、データコントローラ１１１が受け持つ。
【００１７】
データコントローラ１１１はまた、外部サービス機構１，・・・，Ｎ相互間、すなわち履歴サーバ１、ＥＰＧサーバ２、カレンダ／チャンネルデータサーバ３、関連番組データベース４及びデータ供給元サーバ５のそれぞれとの間のデータの受け渡しを受け持つ。なお、データコントローラ１１１は、ユーザからのレコメンドを受けつけ、嗜好情報として処理するレコメンド処理も受け持つ（レコメンド処理エンジン（ＲＥ）としての機能を有する）。
【００１８】
また、データコントローラ１１１は、インターネット網１１上に位置する任意のサイト（Ｗｅｂページ）と電子機器（ユーザ）１０１との間の接続及びデータの受け渡しを制御する。なお、データコントローラ１１１は、テレビ装置１０１とネットワーク（インターネット網１１）との間に位置してもよいし、クラウドサービス１００１内（外部サービス機構１，・・・，Ｎ相互間の任意の位置）に位置してもよい。
【００１９】
ＥＰＧサーバ２は、テレビ装置（ユーザ）１０１が受信する番組の情報を、テレビ装置１０１による直接受信と独立に取得し、データベース（ＤＢ）化して、保持する。
【００２０】
カレンダ／チャンネルデータサーバ（データベース）３は、ユーザが録画予約した番組の放送日時、ユーザが受信（視聴／録画）可能なその地域の放送局（チャンネル）名及び配信事業者が提供するチャンネル名、ユーザが録画予約した番組と放送時間の一部が重複する他局の放送予定、（ユーザが録画予約した番組を含む）再放送情報、等を保持する。
【００２１】
関連番組データベース４は、視聴中または録画した番組の再生中に、ユーザがリモコン装置（操作入力部／携帯端末装置）により、テレビ装置１０１に、所定の操作入力（制御指示）を供給した場合、以下に説明するが、データ供給元サーバ５から供給され、（自身が）保持しているさまざまなデータから、履歴サーバ１が保持するユーザの視聴した番組あるいはユーザが録画予約した番組と関連のある番組と関連のあるデータを抽出する。
【００２２】
データ供給元サーバ５は、上述の番組と関連するさまざまな情報、すなわちメタデータを取り扱うメタデータ作成機構（作成会社）が用意し、管理するもので、ユーザ（テレビ装置）１０１あるいは履歴サーバ１から受信するキーワードや、履歴サーバ１が保持するユーザの嗜好、例えばユーザが視聴した番組またはユーザが録画予約した番組の番組情報及びその番組が含む「キーワード」またはユーザが登録している情報、として抽出可能なさまざまな情報を保持する。
【００２３】
在庫管理サーバ３０１は、ユーザが再生（視聴）中の番組が、例えば料理に関する場合等において、後段に説明する食材リスト（レシピ（番組）が紹介する食材のリスト）等の作成のために、例えば食材や飲み物等の在庫を管理する。なお、在庫管理サーバ３０１が保持する在庫の情報は、例えばユーザ（テレビ装置１０１）もしくは携帯端末装置やＰＣ（パーソナルコンピュータ）により、インターネット網１１上の販売サイトを通じて購入した在庫については、履歴サーバ１が保持するその購入履歴等を参照することで取得可能である。また、例えば冷蔵庫や食品ストッカが保持する在庫（食材）については、冷蔵庫や食品ストッカへの食材の収容時に、例えばＰＣを通じて入力することも可能である。なお、バーコードリーダや重量センサ等が付属する冷蔵庫や食品ストッカにおいては、収容時に、食材名や消費期限等を（在庫管理サーバ３０１が読み出し可能に）記録できる。
【００２４】
なお、テレビ装置１０１は、データコントローラ１１１を経由するインターネット網との間のアクセスのために、例えば図２に一例を示す、クラウドアプリケーション（ＨＴＭＬ／ＪＳ／ＣＳＳ）を、テレビ装置１０１が含むＣＰＵ（プロセッサ）１０２のファームウエアとして、保持する。なお、クラウドアプリケーションは、アプリケーションとしてＣＰＵ１０２が動作可能に取得するものであってもよいし、予め記憶媒体等に記憶されているものであってもよい。、
図２に、クラウドアプリケーション（ＨＴＭＬ／ＪＳ／ＣＳＳ）の概略を示す。
【００２５】
クラウドアプリケーション（ＨＴＭＬ／ＪＳ／ＣＳＳ）１０３は、例えばキーイベント（核となる）処理を担う“Ｃｏｎｔｒｏｌｌｅｒ”１０４、画面表示を担う“Ｖｉｅｗ”１０５、及びＤＴＶＭＷ（ブラウザ（インターネット網１１）との間のパス）やインターネット網１１を経由して接続する任意のサーバ（外部サービス機構）１，・・・，Ｎからの情報取得とテレビ装置１０１の操作を担う“ｍｏｄｅｌ”１０６等を含む。テレビ装置１０１はまた、ネットワークを通じて、履歴サーバ１、ＥＰＧサーバ２、関連番組データベース４との間でデータの受け渡し、すなわち、ユーザが現在視聴中の番組あるいは録画した番組を再生している番組中で紹介されている情報と関連のある情報について、データ供給元サーバ５が保持する情報を参照して、合致する情報を含む録画済み番組の抽出、等を行うクラウドモジュール（ＣＥＳＩ）１０７、番組の録画と再生、及び番組やシーン／キーワード（商品）の検索、等を行うデータ処理（記録再生）モジュール１０８及び操作者（ユーザ）による指示入力を受けつける操作入力部（リモコン受信部）１０９、等を含む。なお、操作入力部１０９は、例えばテレビ装置１０１の動作を制御可能に、所定のアプリケーション（ソフトウェア）が用意された携帯可能な端末装置、例えばタブレット装置や多機能通信端末装置（スマートフォン）等であってもよい。
【００２６】
テレビ装置１０１は、データコントローラ１１１、インターネット網１１を経由して、関連番組データベース４及び履歴サーバ１に、テレビ装置（自身）１０１のＩＰアドレスや嗜好情報、現在視聴中の番組あるいは録画した番組を再生している番組中で紹介されている情報、等を送信する。
【００２７】
関連番組データベース４は、図３に一例を示すが、メタデータ作成会社すなわちデータ供給元サーバ５が保持するメタデータを取得し、テレビ装置１０１においてユーザが現在視聴中の番組あるいは録画した番組を再生している番組中で紹介されている情報もしくは関連のある情報と合致する情報を含む録画済み番組を抽出し、抽出したその番組の情報をテレビ装置１０１に提供する。なお、番組（シーン）の抽出には、番組が含むさまざまなシーン、例えば映画の食事シーンに登場する料理や料理番組が紹介する料理に必要な材料リスト及び調理方法すなわちレシピの紹介、等を実現可能に、さまざまな情報を用いる。また、レコメンド処理により特定するユーザの嗜好も反映する。
【００２８】
図３は、実施形態に係る関連番組データベースの構成の一例を示す。
【００２９】
まず、関連番組データベース４が提供する機能について記載する。なお、以下の説明においては、テレビ装置（ユーザ／クライアント端末、）１０１と関連番組データベース４またはメタデータサーバ（データ供給元サーバ）５との間のデータの受け渡し時にデータコントローラ１１１を介在させることで、履歴サーバ１に、ユーザ（テレビ装置１０１）からデータ供給元サーバ５へ供給（送信）する情報及びデータ供給元サーバ５からユーザへ提供（受信）する情報のそれぞれ、または対応するキーワード、等を蓄積できる。
【００３０】
＜コマンド（ＷｅｂＡＰＩ）処理    
関連番組データベース４は、以下に説明する各種データをメタデータサーバ５から取得し、テレビ装置１０１あるいは録画済番組リスト（レコーダ装置／データベース）２０１からの要求に従い、その要求先へ提供する。各種データとしては、例えば「シーン情報」や「関連番組データ」等を含む。
【００３１】
＜「シーン情報」リストの取得＞    
ユーザ（テレビ装置）１０１が指定した条件に一致する番組の「シーン情報」のリストを取得する。指定条件に一致する番組の「シーン情報」のリストが複数存在する場合は、全て取得する。条件一致する「シーン情報」のリストが存在しない場合は、その旨が通知される。
【００３２】
＜「シーン情報」リストが存在する「番組一覧」の取得＞    
ユーザ（テレビ装置）１０１が指定した条件の「シーン情報」のリストが存在する番組をリストした「番組一覧」を取得する。
【００３３】
＜「シーン情報」のリスト一覧の取得＞    
ユーザ（テレビ装置）１０１指定した番組に登録されている「シーン情報」のリストである「シーン情報リスト一覧」を取得する。
【００３４】
＜シーン情報リストの取得（ＩＤ指定）＞    
「シーン情報リスト一覧」から、指定したＩＤの「シーン情報」のリストを取得する。
【００３５】
＜「シーン情報」の検索＞    
指定した検索条件に一致する「シーン情報」を含む「シーン情報リスト」を取得する。検索条件には、ユーザが入力する任意キーワードを指定可能なものとする。
【００３６】
＜ユーザの嗜好に基づく「シーン情報」の取得＞    
履歴サーバ１が管理するユーザの嗜好に基づく「シーン情報」すなわち「キーワード」に合致するメタデータ等を取得する。
【００３７】
＜メタデータ取得処理＞    
メタデータサーバ５が提供するメタデータを取得する。
【００３８】
メタデータサーバ５が提供するメタデータの取得には、メタデータサーバ５が提供するＷｅｂＡＰＩを使用する。
【００３９】
＜「シーン情報」生成／送信処理＞    
メタデータサーバ５から取得したメタデータをもとに「シーン情報」を生成し、あるいは「関連番組データ」として抽出して、テレビ装置１０１に送信する。
【００４０】
「シーン情報」の生成時に実行する処理を下記に示す。    
（Ａ）番組情報の引き当て    
テレビ装置１０１は、    
（ａ）番組名（または番組ＩＤ等の識別情報）、    
（ｂ）番組放送日時、    
（ｃ）チャンネル番号を送信する。
【００４１】
メタデータサーバ５は、テレビ装置１０１から受信する上述の（ａ）番組名、（ｂ）番組放送日時、（ｃ）チャンネル番号に基づき、メタデータサーバ５内のデータベースを検索し、１以上の「シーン情報」が登録された該当番組が存在する場合は、その番組の１以上の「シーン情報」を生成した後、テレビ装置１０１に送信する。
【００４２】
メタデータサーバ５は、該当する番組が複数存在する場合は、全ての候補をテレビ装置１０１に送信する。
【００４３】
メタデータサーバ５は、該当する番組が存在しない場合は、その旨をテレビ装置１０１に送信する。すなわち、テレビ装置１０１は、メタデータサーバ５に対して、番組の識別情報（番組名、番組放送日、チャンネル番号等）を送信し、メタデータサーバ５から番組内のシーンに対応する「シーン情報」を受信する。
【００４４】
（Ｂ）「シーン情報」の検索    
テレビ装置１０１から受信した検索条件に一致するメタデータ情報をメタデータサーバ５内のデータベースから検索し、該当するメタデータ情報を含む「シーン情報」のリストをテレビ装置１０１に送信する。検索対象のメタデータは、図４Ａ、図４Ｂ、図４Ｃ、図４Ｄが示す番組放送履歴データ、商品データ、店舗データ、ＣＭ放送履歴データとする。
【００４５】
（Ｃ）シーン情報の生成    
メタデータサーバ５内のデータベースに格納された放送履歴データ、商品データ、店舗データ、ＣＭ放送履歴データを関連付け、「シーン情報」を生成する。なお、１「シーン情報」内に、商品情報、店舗情報が存在しない場合もある。また、１「シーン情報」内に複数の商品データ、店舗データが関連付けられる場合もある。
【００４６】
（Ｄ）関連番組データの抽出    
関連番組データベース４は、メタデータサーバ５内のデータベースから、テレビ装置１０１において、ユーザが現在視聴中の番組あるいは録画した番組を再生している番組中で紹介されている情報と関連のある情報と合致する情報を、レコーダ装置２０１（もしくはテレビ装置１０１）において録画し、保持している番組から抽出可能に、検索条件を設定する。
【００４７】
すなわち、関連番組データベース４は、録画済番組リスト（レコーダ装置（ＤＢ））２０１においてリストされているレコーダ装置２０１もしくはテレビ装置１０１が保持する番組の情報と、ユーザが現在再生している番組の情報と関連のある、あるいは関連付けが可能なメタデータをメタデータサーバ５から抽出し、ユーザ（テレビ装置１０１）が参照可能に、データベース化して保持する。
【００４８】
上述のテレビ装置１０１（ユーザ）、レコーダ装置（録画済番組リストデータベース／ホームサーバ）２０１、在庫管理サーバ３０１、データコントローラ１１１、履歴サーバ（データベース）１、関連番組データベース（サーバ）４を含むシステムによれば、録画済の任意の番組、例えば映画のワンシーンや食事の場面、もしくは料理番組、等において図５Ａが示すような食事の画面が表示されている場面において、ユーザがリモコン（リモコン端末装置）の「メニュー」キーをオンすると、画面表示５０１内に「メニューバー」表示５２１を表示する。
【００４９】
「メニューバー」表示５２１の「レシピ表示」バー表示５２５にフォーカスをあて、リモコンの「決定」キーをオンすると、図５Ｂに示すように、画面表示５０１の所定の位置に、『レシピを表示しますか？』等のメッセージと、「はい（ＹＥＳ）」すなわち表示する、を選択するコマンドを入力する／「いいえ（ＮＯ）」すなわち元の（１つ前の）画面表示に戻る、を選択するコマンドを入力する、ことが可能な（２つの）ボタンを含む、確認画面表示５３１を表示する。図５Ｂが示す確認画面表示５３１において、「はい（ＹＥＳ）」ボタン、またはリモコンの「青」キー５１１、「赤」キー５１２、「緑」キー５１３及び「黄」キー５１４のうちの「決定」コマンドの入力に対応されるキーをオンすると、図５Ｃが示すような、『レシピ（分量（必要材料））』画面５４１を表示する。なお、図５Ｃが示す『レシピ（分量（必要材料））』画面表示は、例えば「＜＜（前ページ）」すなわち１つ前のページの表示に戻るコマンド、及び「（次ページ）＞＞」すなわち次のページの表示を表示するコマンドをそれぞれ入力可能なボタン表示、あるいは「キャンセル（中止）」するコマンドを入力可能なボタン表示を含む。また、図５Ｃが示す、レシピ（分量（必要材料））画面５４１においても、「青」キー５１１、「赤」キー５１２、「緑」キー５１３及び「黄」キー５１４のいずれか２つについては、「＜＜（前ページ）」あるいは「（次ページ）＞＞」の画面表示の切り換え、及び他の１つについて、「キャンセル（中止）」のそれぞれのコマンドの入力が割り当てられているものとする。
【００５０】
図５Ｃが示す『レシピ（分量（必要材料））』画面表示５４１において、「（次ページ）＞＞」ボタンをオンすると、図５Ｄに示すような、『レシピ（つくり方（その１））』画面表示５５１を表示する。以降、「（次ページ）＞＞」ボタンがオンされる毎に、用意された引き続く画面表示を表示する。但し、再生中の番組が料理番組であって、放送内容に従う（放送に沿って調理する）場面があるような場合、図５Ｄに示す『レシピ（つくり方（その１））』、等の表示モードと『続きは本編を再生する』、等の再生（表示）モードの選択が可能であってもよい。
【００５１】
なお、表示可能なレシピは、レコーダ装置２０１もしくはテレビ装置１０１が保持している録画済の番組内で紹介されているレシピである。このため、料理番組のように、番組内にレシピ、すなわち分量（材料）や作り方が紹介されている番組においては、図５Ｃ及び図５Ｄが示す通り、分量や作り方を表示可能である。一方で、映画のワンシーンで登場する料理、等であって、録画済の番組リストで管理する番組に該当するレシピが見当たらない場合には、図５Ｅに示すように、『該当するメニュー（レシピ）が見当たりません・類似するメニュー（レシピ）を表示しますか？』のようなメッセージと、「はい（ＹＥＳ）」及び「いいえ（ＮＯ）」ボタン表示、を含む代替メニュー選択画面表示５６１を表示する。
【００５２】
図５Ｅに示す代替メニュー選択画面表示５６１において、「はい（ＹＥＳ）」ボタンがオンされた場合は、レコーダ装置２０１（テレビ装置１０１）が保持している録画済番組について、類似するメニュー（レシピ）を検索する。なお、類似するメニュー（レシピ）も見当たらない場合、図５Ｆに示すように、『該当するメニュー（レシピ）が見当たりません・外部ネットワークを検索しますか？』のようなメッセージと、「はい（ＹＥＳ）」及び「いいえ（ＮＯ）」ボタン表示、を含むネットワーク接続選択画面表示５７１を表示する。
【００５３】
一方、図５Ｃ及び図５Ｄ，・・・，により、用意された引き続く画面表示を表示する間の任意のタイミングで、例えば『一緒にワインはいかがですか？』等の参考情報画面表示５８１（図５Ｇ）を表示してもよい。なお、図５Ｇが示す参考情報画面表示５８１において、「はい（ＹＥＳ）」ボタン表示をオンすると、図５Ｈが示す『ワインリストを見る』等の在庫管理サーバ３０１へのリンクを起動可能な選択画面表示５９１を表示する。これにより、ユーザは、必要に応じて、ワインを選択することができる。
【００５４】
なお、図５Ｃ及び図５Ｄ，・・・，により、用意された引き続く画面表示を表示する間の任意のタイミングで、リモコンの「メニュー」キーをオンすると、図５Ａに示した「メニューバー」表示５２１を表示する。例えば、「在庫を見る」バー表示５２７にフォーカスをあて、リモコンの「決定」キーをオンすると、図６Ａに示すように、在庫管理サーバ３０１が管理する食材の在庫の一覧表示６１１を表示させることができる。ここで、発注欄表示６１２に、『購入』表示６１３が表示される材料については、在庫がない（在庫があることが確認できない）ことを示す。
【００５５】
図６Ａにおける『購入』表示６１３にフォーカスをあて、リモコンの「決定」キーをオンすると、図６Ｂに示すように、『購入』画面表示６２１を表示する。
【００５６】
なお、『購入』画面表示６２１に表示する購入先（販売店）情報は、例えば履歴サーバ１が保持する過去の購入履歴、等を参照し、該当する商品（材料）を取り扱っている販売店、例えばオンラインストア（ネットスーパー）Ａ店及びＢ店、あるいはネットワークを経由して販売情報を取得可能な近隣の「となりの店」等、を、情報の取得順、等の所定の表示規則に従い、表示する。また、価格表示欄６２２や店名欄６２３の表示については、例えば価格の順や５０音順もしくはアルファベット順、等、さまざまなソート表示が可能である。
【００５７】
なお、『購入』画面表示においては、『購入時の合計金額を表示する』、等の補助的機能を伴うことができる。また、商品（材料）ごとに、最も価格の安い販売店で購入する、等の補助的機能も利用可能である。
【００５８】
ところで、録画済番組については、番組内のレシピ表示に用いる登録語句（固有名詞）あるいは（会話等の）放送内容からテキスト化して保持する語句（キーワード）等の検索可能な情報を含むが、現在視聴中（すなわち放送途中）の番組においては、全ての情報を特定できるまでに、時間を必要とする場合がある。
【００５９】
その場合には、メタデータサーバ５が保持するキーワードや登録語句を参照し、録画済番組リスト（レコーダ装置／データベース）２０１が保持する録画済番組から同一名称の料理（レシピ）もしくは類似の料理（レシピ）を含む（録画済）番組を抽出し、画面表示のための情報を収集し、テレビ装置１０１（または接続されたモニタ装置）が表示可能な画像表示を表示する（映像信号を出力する）。
【００６０】
なお、録画済番組リスト（レコーダ装置／データベース）２０１は、任意数の料理番組を録画することが可能であり、例えば図７に示すように、料理（レシピ）名と番組名を関連付けた『レシピリスト』を生成し、保持してもよい。この場合、テレビ装置１０１が再生する映像（番組）を視聴しながら、選択したレシピに従い、希望する料理を作ることができる。なお、『レシピリスト』は、例えば図５Ａが示す「メニューバー」表示５２１の「レシピリスト」バー表示５２９にフォーカスをあて、リモコンの「決定」キーをオンすることで起動するよう、設定することができる。
【００６１】
また、『レシピリスト』は、番組名（放送局名（ｃｈ）／放送日時）、等と関連付けることができ、メタデータサーバ５が保持するメタデータを参照して、購入すべき食材や、在庫管理サーバ３０１が保持する食材の使用の可否（在庫しているかどうか）、費用、等を表示できる。
【００６２】
このように、レコーダ装置（データベース／録画済番組リスト）２０１が保持する番組中で紹介される料理について、番組内の情報または番組に付属する情報、もしくは外部サーバが保持する情報の少なくとも１つ、あるいは任意の組み合わせにより参照して、そのレシピを生成することで、ユーザは、番組内で紹介された料理を作成することができる。
【００６３】
また、レコーダ装置（データベース／録画済番組リスト）２０１と接続する管理サーバにより、番組内で紹介された料理を作成するために必要な食材のリスト（及びコスト）を得ることができる。なお、必要に応じて、購入を手続きすることができる。
【００６４】
また、レコーダ装置（データベース／録画済番組リスト）２０１と接続するテレビ装置１０１が再生する番組に沿って（視聴することにより）、料理を作成することができる。
【００６５】
このように、実施形態を適用することで、ユーザは、動画や音声による説明のある料理のレシピを得ることができる。また、ユーザは、その料理の単価（コスト）を、容易に、把握できる。さらに、ユーザは、その料理を作るために必要となる食材の購入を、家庭内（料理作成場所）で、手配できる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2014207610.tif 000003
【図２】
2014207610.tif 000004
【図３】
2014207610.tif 000005
【図４Ａ】
2014207610.tif 000006
【図４Ｂ】
2014207610.tif 000007
【図４Ｃ】
2014207610.tif 000008
【図４Ｄ】
2014207610.tif 000009
【図５Ａ】
2014207610.tif 000010
【図５Ｂ】
2014207610.tif 000011
【図５Ｃ】
2014207610.tif 000012
【図５Ｄ】
2014207610.tif 000013
【図５Ｅ】
2014207610.tif 000014
【図５Ｆ】
2014207610.tif 000015
【図５Ｇ】
2014207610.tif 000016
【図５Ｈ】
2014207610.tif 000017
【図６Ａ】
2014207610.tif 000018
【図６Ｂ】
2014207610.tif 000019
【図７】
2014207610.tif 000020